(57)【要約】【課題】強押鍵時の押鍵押し切り時におけるハンマの跳ね返りや指への衝撃を抑制して強押鍵時のしっかりとしたストップ感を長期に亘り維持すると共に、弱押鍵時の自然なストップ感を確保する。【解決手段】質量体ＭＡは、柔軟性があって伸縮性が小さい布等の薄皮部材で構成される袋状部材２２の内部空間に質量玉２１が移動自在に内装され、鍵１の後方において、吊り下げ状態で配設される。非押鍵状態においては、質量玉２１が、自重により最も低い初期位置に位置し、上側ストッパ１０の直ぐ後方に隣接している。袋状部材２２の下面には弾性材２３が固定される。強押鍵時には、常に、往方向に回動するハンマ２が上側ストッパ１０に先に当接した後に質量部ＭＡに当接する一方、弱押鍵時には、ハンマ２が上側ストッパ１０に当接するが質量部ＭＡには当接しない。【選択図】図３
2008116759.tif 000002
【特許請求の範囲】
【請求項１】
押鍵操作により、先端部が上方に変位する方向である往方向に各々回動すると共に、離鍵操作により、先端部が下方に変位する方向である復方向に各々回動する複数の回動部材と、
固定的に保持され、前記回動部材の当接部と当接することで該回動部材の往方向回動終了位置を規制する弾性ストッパ部と、
前記弾性ストッパ部に隣接して設けられ、自重により非押鍵時に対応する初期位置が規制されると共に、前記回動部材の前記当接部が当接したときに上方成分を含む方向に変位可能に保持された質量体とを有し、
強押鍵時には、常に、往方向に回動する前記回動部材が前記弾性ストッパ部に先に当接した後に前記質量体に当接する一方、弱押鍵時には、往方向に回動する前記回動部材が前記弾性ストッパ部に当接すると共に前記質量体には当接しないように、前記弾性ストッパ部の位置と前記質量体の初期位置とが設定されたことを特徴とする鍵盤装置。
【請求項２】
強押鍵時の押鍵状態継続中においては、変位していた前記質量体が前記初期位置に復帰しても前記回動部材に当接しないように、前記質量体の前記初期位置が設定されたことを特徴とする請求項１記載の鍵盤装置。
【請求項３】
前記質量体の前記初期位置は、前記質量体の自重と前記質量体が前記弾性ストッパ部に当接することとによって規制されるように構成されたことを特徴とする請求項１または２記載の鍵盤装置。
【請求項４】
前記質量体は、前記回動部材の前記当接部が当接したとき、水平方向の成分及び上方成分を含む方向に変位すると共に、強押鍵時の押鍵状態継続中においては、変位していた前記質量体が、前記回動部材に当接することなく、自重によって前記弾性ストッパ部の側部に当接することによって前記初期位置に復帰するように構成されたことを特徴とする請求項３記載の鍵盤装置。
【請求項５】
前記質量体は、質量部材が吊り下げ状態で保持されてなることを特徴とする請求項１〜４のいずれか１項に記載の鍵盤装置。
【請求項６】
前記質量体は、前記質量部材が柔軟な薄皮状部材によって被包保持されてなることを特徴とする請求項５記載の鍵盤装置。
【請求項７】
前記質量体は、柔軟な薄皮状部材と、該薄皮状部材の上に配置された質量部材とを有し、前記質量部材がその自重により前記薄皮状部材を下方に撓ませた状態で該薄皮状部材に収まって当該質量体が前記初期位置に規制されると共に、初期位置にある前記質量体が、前記薄皮状部材を介して前記回動部材の前記当接部からの当接を受けるように構成されたことを特徴とする請求項１〜４のいずれか１項に記載の鍵盤装置。
【請求項８】
前記質量体は、多数の粒状材が薄膜状素材で包囲してなる質量部材を有することを特徴とする請求項１〜７のいずれか１項に記載の鍵盤装置。
【発明の詳細な説明】
【技術分野】
【０００１】
本発明は、押離鍵操作により回動するハンマ等の回動部材を備えた鍵盤装置に関する。
【背景技術】
【０００２】
従来、適当な質量を有するハンマ（回動部材）を押鍵操作により駆動して回動させ、アコースティックピアノのような自然な押鍵感触を擬似的に得るようにした鍵盤装置が知られている。また、この種の鍵盤装置には、押鍵押し切り時において、ハンマの強い跳ね返りや指への過度の衝撃を抑制すると共にしっかりとしたストップ感を長期間維持するために、ハンマの往方向回動終了位置を規制するストッパ部に加えて、ハンマが当接する質量部を変位可能に保持したものも知られている（下記特許文献１）。
【特許文献１】特開２００３−１９５８５３号公報
【発明の開示】
【発明が解決しようとする課題】
【０００３】
しかしながら、上記特許文献１の鍵盤装置では、ハンマがストッパ部と質量部とに略同時に当接するように構成されているので、強押鍵時だけでなく弱押鍵時にもハンマが質量部に当接してしまう。そのため、特に弱押鍵時における感触がやや不自然なものとなるという問題があった。
【０００４】
また、質量部は板バネによって保持され、ハンマが当接して変位した質量部は揺れ戻るので、押鍵後そのまま押鍵継続している最中に揺れ戻った質量部がハンマに当接すると、その衝撃が不快な感触となって手に伝わることになる。
【０００５】
さらには、質量部においては、運動エネルギを分散させるために複層のクッションが設けられるので、構成が簡単ではない。
【０００６】
本発明は上記従来技術の問題を解決するためになされたものであり、その目的は、強押鍵時の押鍵押し切り時における回動部材の跳ね返りや指への衝撃を抑制して強押鍵時のしっかりとしたストップ感を長期に亘り維持すると共に、弱押鍵時の自然なストップ感を確保することができる鍵盤装置を提供することにある。
【課題を解決するための手段】
【０００７】
上記目的を達成するために本発明の請求項１の鍵盤装置は、押鍵操作により、先端部（２ｄ）が上方に変位する方向である往方向に各々回動すると共に、離鍵操作により、先端部が下方に変位する方向である復方向に各々回動する複数の回動部材（２）と、固定的に保持され、前記回動部材の当接部（２ｄ）と当接することで該回動部材の往方向回動終了位置を規制する弾性ストッパ部（１０）と、前記弾性ストッパ部に隣接して設けられ、自重により非押鍵時に対応する初期位置が規制されると共に、前記回動部材の前記当接部が当接したときに上方成分を含む方向に変位可能に保持された質量体（ＭＡ）とを有し、強押鍵時には、常に、往方向に回動する前記回動部材が前記弾性ストッパ部に先に当接した後に前記質量体に当接する一方、弱押鍵時には、往方向に回動する前記回動部材が前記弾性ストッパ部に当接すると共に前記質量体には当接しないように、前記弾性ストッパ部の位置と前記質量体の初期位置とが設定されたことを特徴とする。
【０００８】
好ましくは、強押鍵時の押鍵状態継続中においては、変位していた前記質量体が前記初期位置に復帰しても前記回動部材に当接しないように、前記質量体の前記初期位置が設定される（請求項２）。
【０００９】
好ましくは、前記質量体の前記初期位置は、前記質量体の自重と前記質量体が前記弾性ストッパ部に当接することとによって規制されるように構成される（請求項３）。
【００１０】
好ましくは、前記質量体は、前記回動部材の前記当接部が当接したとき、水平方向の成分及び上方成分を含む方向に変位すると共に、強押鍵時の押鍵状態継続中においては、変位していた前記質量体が、前記回動部材に当接することなく、自重によって前記弾性ストッパ部の側部（１０ｂ）に当接することによって前記初期位置に復帰するように構成される（請求項４）。
【００１１】
好ましくは、前記質量体は、質量部材（２１）が吊り下げ状態で保持されてなる（請求項５）。さらに好ましくは、前記質量体は、前記質量部材が柔軟な薄皮状部材（２２）によって被包保持されてなる（請求項６）。
【００１２】
好ましくは、前記質量体は、柔軟な薄皮状部材（１２２）と、該薄皮状部材の上に配置された質量部材（１２１）とを有し、前記質量部材がその自重により前記薄皮状部材を下方に撓ませた状態で該薄皮状部材に収まって当該質量体が前記初期位置に規制されると共に、初期位置にある前記質量体が、前記薄皮状部材を介して前記回動部材の前記当接部からの当接を受けるように構成される（請求項７）。
【００１３】
好ましくは、前記質量体は、多数の粒状材（１２１ａ）が薄膜状素材（１２１ｂ）で包囲してなる質量部材（１２１）を有する（請求項８）。
【００１４】
なお、上記括弧内の符号は例示である。
【発明の効果】
【００１５】
本発明の請求項１によれば、強押鍵時の押鍵押し切り時における回動部材の跳ね返りや指への衝撃を抑制して強押鍵時のしっかりとしたストップ感を長期に亘り維持すると共に、弱押鍵時の自然なストップ感を確保することができる。
【００１６】
請求項２によれば、押鍵状態継続中に質量体が戻って回動部材に当接することによる不快な感触を排除することができる。
【００１７】
請求項３によれば、質量体が初期位置に安定して静止するようにして、ストップ感を均一化することができる。
【００１８】
請求項４によれば、押鍵状態継続中における質量体の戻り当接による不快な感触を排除すると共に、質量体が初期位置に安定して静止するようにして、ストップ感を均一化することができる。
【００１９】
請求項５、６、７によれば、構成を簡単にすることができる。
【００２０】
請求項８によれば、強押鍵時の押鍵押し切り時における回動部材の跳ね返りや指への衝撃を一層抑制すると共に、押鍵状態継続中に質量体が戻って回動部材に当接する構成であっても、当接による不快な感触を抑制することができる。
【発明を実施するための最良の形態】
【００２１】
以下、本発明の実施の形態を図面を参照して説明する。
【００２２】
（第１の実施の形態）
図１及び図２は、本発明の第１の実施の形態に係る鍵盤装置の断面図である。本実施の形態の鍵盤装置は、例えば、電子鍵盤楽器に適用され、シャーシ４と、鍵１と、押鍵動作に適当な慣性を与えてアコースティックピアノのような押鍵感触を得るためのハンマ２とから主に構成される。ハンマ２は各鍵１に対応して設けられる。なお、図１、図２においては、鍵１として白鍵が例示されているが、黒鍵についても同様に構成され、シャーシ４に回動自在に支持されて成る。なお、以下、本装置の演奏者側を前方と称する。
【００２３】
図１は非押鍵状態（鍵１が押鍵往行程の開始位置にある状態）を示し、図２は押鍵終了間際の状態（鍵１が押鍵往行程の終了位置近傍にある状態）を示す。
【００２４】
鍵１、ハンマ２は、それぞれの回動軸、すなわち鍵回動軸Ｐ１、ハンマ回動軸Ｐ２を中心として上下方向に回動可能に構成されている。鍵１は対応するハンマ２を駆動可能に構成され、ハンマ２はスイッチ部３を駆動可能に構成されている。
【００２５】
鍵１には、その後端部側の面に凸球面状の鍵支点部１ａが突設されており、その中心が上記鍵回動軸Ｐ１である。一方、シャーシ４のシャーシ水平部４ａの後方には鍵支持部５が設けられている。鍵支持部５の鍵支点部１ａに対向する部分には、各鍵支点部１ａに対応して不図示の凹部が設けられており、鍵支点部１ａが鍵支持部５の上記凹部と係合して、鍵１が鍵支点部１ａ（鍵回動軸Ｐ１）を中心として上下方向に回動自在にされている。
【００２６】
鍵１の前部には下方に垂下したハンマ駆動片１ｂが設けられている。ハンマ駆動片１ｂの下端部にはウレタンゴム製等の緩衝材１３が取り付けられている。緩衝材１３は、ハンマ２の上側延設部２ｃ及び下側延設部２ｂ間に挟入され、鍵１の押鍵動作をハンマ２に伝達すると共に、ハンマ２の復帰動作を鍵１に伝達する。なお、押鍵及び押鍵復帰の行程において、緩衝材１３はその上端部がハンマ２の上側延設部２ｃと常に当接して動作の伝達を確実にしている。
【００２７】
シャーシ４は、シャーシ水平部４ａとシャーシ４の前部４ｂとがリブ１２により連結されて補強されている。シャーシ前部４ｂには鍵並び方向（鍵１の横方向）の回動を規制するためのキーガイド６が各白鍵毎に突設されている。
【００２８】
ハンマ２は、各鍵１に対応して設けられ、シャーシ４に設けられた支持部材９のハンマ支持部９ａ（ハンマ回動軸Ｐ２）を中心としてその自由端部２ｄが上下方向に回動自在にハンマ支点部２ａにて支持されている。また、ハンマ支点部２ａ近傍から鍵１の後部に亘って、前側が二又形状となっているフォーク形状のバネ７が懸架されている。このバネ７は、鍵１を鍵支持部５に押しつけると共に、ハンマ２を支持部材９のハンマ支持部９ａに押しつけ、鍵１及びハンマ２がシャーシ４から容易に脱落しないようにしている。
【００２９】
ハンマ２は、質量部材２ｆの重さによって下側延設部２ｂにて鍵１を上方に常に付勢している。なお、鍵１の復帰力はバネ７から付与されるのではなく、ハンマ２自身の復帰力によるものである。ハンマ２は、下部にスイッチ部３を駆動するためのスイッチ駆動部２ｅを有する。
【００３０】
シャーシ４の後部４ｄには、フェルト等の上側ストッパ１０が設けられ、シャーシ保持部４ｃには、下側ストッパ１１が設けられている。上側ストッパ１０は、例えば、全鍵幅に亘る長さに形成され、その下面１０ａが押鍵時にハンマ２の質量部材２ｆと当接して鍵１及びハンマ２の回動終了位置（鍵１では前端部の下限位置、ハンマ２では自由端部２ｄの上限位置）を規制する。下側ストッパ１１は非押鍵時にハンマ２の質量部材２ｆと当接して鍵１及びハンマ２の回動開始位置（鍵１では前端部の上限位置、ハンマ２では自由端部２ｄの下限位置）を規制する。なお、上側ストッパ１０は複数鍵共通または各鍵毎に設けてもよい。
【００３１】
シャーシ前部４ｂにはスイッチ基板８が取り付けられ、スイッチ基板８上にはスイッチ部３が設けられている。スイッチ部３は、ハンマ２のスイッチ駆動部２ｅに対向して各ハンマ２毎に設けられている。スイッチ部３は、接点時間差タイプの２メイク式タッチレスポンススイッチであり、鍵１の押鍵動作を検出する。
【００３２】
鍵１の後方には、質量体ＭＡが設けられる。シャーシ４における鍵１の後方に後部カバー１９が設けられる。質量体ＭＡは、質量玉２１、袋状部材２２及び弾性材２３で構成され、後部カバー１９の前部の支持部１９ａに吊り下げ状態で配設される。
【００３３】
図３（ａ）〜（ｄ）は、質量体ＭＡ及び上側ストッパ１０の拡大図である。同図（ａ）は、ハンマ２の回動往行程においてハンマ２の自由端部２ｄが上側ストッパ１０の下面１０ａに当接開始した時点の状態を示す。図３（ｂ）及び図２は、ハンマ２の回動往行程において自由端部２ｄが弾性材２３に当接開始した時点の状態を示す。図３（ｃ）は、ハンマ２が回動往行程において往方向に最も回動した状態（以下、「最大回動位置」とも呼称する）を示す。図３（ｄ）は、押鍵後離鍵前の押鍵継続中の状態を示す。
【００３４】
質量体ＭＡは、各鍵１に対応して設けられ、いずれも同様に構成される。質量玉２１は、慣性を持たせるために金属等の比重の大きい材料で例えば球状に構成され、質量体ＭＡの質量のほとんどを占める。ただし、形状や材質は問わない。
【００３５】
袋状部材２２は、柔軟性があって伸縮性が小さい布等の薄皮部材で構成される。袋状部材２２は、その上部が束ねられる等によって、内部に空間を有する袋状に形成される。袋状部材２２の内側に質量玉２１が内装される。なお、袋状部材２２の袋の形状は、質量玉２１が脱落しないように保持できれば、水平断面円形でなくてもよい。袋状部材２２の上部２２ａが被取付部となって、ネジ１８で後部カバー１９の支持部１９ａに固定される。これにより、質量玉２１を被包保持する袋状部材２２が吊り下げ状態で支持部１９ａに保持される。
【００３６】
質量玉２１は、袋状部材２２内を移動自在であるが、非押鍵状態においては、自重により最も低い位置に位置し、その状態が質量体ＭＡの初期位置の状態となる（図１、図３（ａ）参照）。初期位置においては、質量玉２１が上側ストッパ１０の直ぐ後方に隣接している。また、袋状部材２２の、初期位置において質量玉２１を保持している部分の外側面（下面）に、フェルト等の弾性材２３が貼着等によって固定されている。弾性材２３は、ハンマ２と質量玉２１との当接時の緩衝機能を果たす。
【００３７】
次に、質量体ＭＡ及び上側ストッパ１０の位置設定について、押鍵時の作用と一緒に説明する。ここで、押鍵強さによってハンマ２の挙動が相違するので、「弱押鍵」と「強押鍵」とに分けて説明する。
【００３８】
「弱押鍵」は、アコースティックピアノでいえば、ハンマが弦を打弦するかしないかという程度の極めて弱い押鍵強さから、比較的弱い押鍵強さまでの押鍵態様である。これに対して、弱押鍵より十分に強く、通常の発音から強い発音がなされるまでの押鍵強さ範囲に相当する押鍵態様を「強押鍵」と呼称する。「弱押鍵」以外の押鍵態様では、質量体ＭＡ及び上側ストッパ１０とハンマ２との動作関係に限って言えば「強押鍵」と同様に考えることができる。
【００３９】
まず、強押鍵により鍵１を押鍵すると、鍵１のハンマ駆動片１ｂによってハンマ２が駆動されて往方向に回動する。そして、図３（ａ）に示すように、ハンマ２がその回動終了位置近傍に達すると、ハンマ２の自由端部２ｄが、上側ストッパ１０の下面１０ａに当接する。この時点では、自由端部２ｄが質量体ＭＡの弾性材２３に当接しないように、質量体ＭＡの初期位置が設定されている。
【００４０】
ハンマ２がさらに往方向に回動すると、図２、図３（ｂ）に示すように、上側ストッパ１０が縮むと共に、自由端部２ｄが弾性材２３に当接する。従って、強押鍵では、常に、往方向に回動するハンマ２が先に上側ストッパ１０に当接した後に質量体ＭＡ（の弾性材２３）に当接する。
【００４１】
自由端部２ｄが弾性材２３に当接すると、質量玉２１が間接的に打撃されるので、図３（ｃ）に示すように、質量玉２１が上方に移動すると共に、袋状部材２２も上方に撓むように変形する。
【００４２】
質量玉２１は、ハンマ２から離間していくので、ハンマ２は、当接時に質量部ＭＡから大きな反力を受けた後、その反力が急速に減少する。そしてその後も、ハンマ２は、上側ストッパ１０から大きな反力を受ける。従って、押鍵押し切り時においては、ハンマ２が受ける反力の変化は、グランドピアノにおいてハンマアクションを介して鍵が受ける反力の変化に比較的近いものとなり、良好なレットオフ感が得られる。
【００４３】
そして、上側ストッパ１０を最も縮ませる「最大回動位置」にハンマ２が到達した後は（図３（ｃ）参照）、ハンマ２が復方向に回動していく。通常、押鍵後においても押鍵状態がある程度の時間継続され、その状態で奏者はその鍵の押鍵終了と認識する。離鍵前、すなわち、押鍵状態が継続している間、図３（ｄ）に示すように、ハンマ２が最大回動位置より少し復方向に戻った位置で静止する。
【００４４】
一方、質量玉２１は、当接の強さに応じた分だけ上昇し、押鍵強さによっては袋状部材２２の上部２２ａに当接して跳ね返り、下降する。ここで、自由端部２ｄに質量体ＭＡの弾性材２３が当接しないように、質量体ＭＡの初期位置が設定されている。すなわち、自由端部２ｄの位置については、回動往行程においてハンマ２が質量体ＭＡに当接する時点の位置（図３（ｂ）参照）よりも、ハンマ２が最大回動位置から跳ね返って押鍵後の押鍵状態継続中に安定静止する位置（図３（ｄ）参照）の方が低い。なおかつ、押鍵後の押鍵状態継続中においては、初期位置にある質量体ＭＡにハンマ２が当接しないようになっている。これにより、押鍵状態継続中における質量玉２１の戻り当接による不快な感触が排除される。
【００４５】
また、ハンマ２の自由端部２ｄが質量部ＭＡに当接したことで、ハンマ２の運動エネルギの一部は質量部ＭＡに伝わり、ハンマ２の運動エネルギが効果的に減少する。これにより、ハンマ２の運動エネルギのうち上側ストッパ１０で吸収を受け持つべき分が減少する。従って、上側ストッパ１０の硬さを比較的柔らかめに設定できることから、ハンマ２の強い跳ね返り、演奏者の指への過度の衝撃、大きな衝撃音の発生等が抑制される。しかも、しっかりとしたストップ感が得られる。また、経年変化にも強く、上側ストッパ１０の変形が抑制される結果、長期に亘って良好な押鍵感触が維持される。
【００４６】
一方、弱押鍵の場合は、ハンマ２は、回動往行程において、図３（ｄ）に示す位置の手前で回動終了となる。従って、ハンマ２の自由端部２ｄは質量体ＭＡの弾性材２３に当接することがなく、専ら上側ストッパ１０との当接によって回動終了位置が規制されることになる。
【００４７】
ところで、実際の押鍵の態様は様々である。例えば、強押鍵の場合であっても、押鍵当初だけ強く、ハンマ２が、鍵１との連動関係がほとんど絶たれた状態で回動終了位置に達する場合がある。本実施の形態では、ハンマ２の上側延設部２ｃと下側延設部２ｂと緩衝材１３とで、ハンマ２と鍵１とが上下方向に連結されているので、実際には、回動往行程後半において、ハンマ２が鍵１を上方に引き込むような動作となる。一方、押鍵力による加速度が回動全行程に亘って加わり続け、鍵１とハンマ２との連動関係が保たれた状態で回動終了位置に達する場合がある。この状態では、鍵１がハンマ２に対して最後（回動終了位置）まで付勢し続けることになる。特許第２９５６１８０号で示されているように、鍵の動特性は、線形微分方程式で近似されるので、厳密には、前者と後者とでは回動終了位置近傍での力学的作用が相違し、押鍵感触を同列には議論できない。特に後者では、押鍵感触には、ハンマ２の速度及び質量部ＭＡの質量のほか、その時点でハンマ２に付与されている加速度や各種摩擦力等が影響する。
【００４８】
しかし、いずれにしても、最終的にはハンマ２が上側ストッパ１０で受け止められることには変わりなく、回動終了位置近傍では、質量部ＭＡとの当接によってハンマ２の運動エネルギが急速に減衰し、しかも上側ストッパ１０が負担する運動エネルギが少なくて済むことから、衝撃が少なく且つ鍵１がしっかりと止まった感覚が得られることになる。
【００４９】
本実施の形態によれば、強押鍵時には、常に、往方向に回動するハンマ２が上側ストッパ１０に先に当接した後に質量部ＭＡに当接する。従って、質量部ＭＡを設けない場合に比し、強押鍵時には、上側ストッパ１０が受ける運動エネルギが減少する。
【００５０】
これにより、ハンマ２が上側ストッパ１０から跳ね返りにくく、演奏者の指に過度の衝撃が加わらず、しかも大きな衝撃音が発生しない。また、上側ストッパ１０の経年変化も少なくなる。よって、強押鍵時の押鍵押し切り時におけるハンマの跳ね返り、指への衝撃及び衝撃音を抑制すると共に、しっかりとしたストップ感を長期に亘り維持することができる。さらに、上側ストッパ１０の経年変化による縮みからくる鍵上面の高さの不揃いがなくなることで、グリッサンド奏法等の演奏のやりやすさを長期に亘って維持することができる。
【００５１】
一方、弱押鍵時には、往方向に回動するハンマ２が上側ストッパ１０に当接すると共に質量部ＭＡには当接しないので、不要な当接感触が加わることがなく、弱押鍵時の自然なストップ感を確保することができる。
【００５２】
また、質量部ＭＡは、質量玉２１が柔軟な袋状部材２２によって吊り下げ状態で被包保持されてなるので、簡単な構成で済む。
【００５３】
なお、ハンマ２は後方が自由端部２ｄとして回動するようになっているが、これに限るものでなく、前方に自由端部を設け、質量部ＭＡもそれに応じた位置に設けた構成でも本発明を適用可能である。
【００５４】
なお、ハンマ２が質量部ＭＡに当接したときに質量玉２１が変位する方向は、上方成分を含む方向であればよく、質量玉２１の自重により、質量部ＭＡ（の質量玉２１）の初期位置が規制される構成であればよい。
【００５５】
なお、本実施の形態において、弾性材２３は、袋状部材２２の外側面（下面）に設けられたが、ハンマ２と質量玉２１との当接時の緩衝機能を果たすことができればよく、この位置に限定されない。次に示すように、各種変形例が考えられる。
【００５６】
図４（ａ）〜（ｄ）は、本実施の形態において、弾性材を設ける位置乃至設ける態様を変更した例を示す図である。例えば、同図（ａ）に示すように、質量玉２１に穴を設ける等によって、袋状部材２２を貫通して質量玉２１と弾性材２３とを接着等によって直接連結固定する。この場合は、質量玉２１は袋状部材２２の内部を単独で自由に移動することはできないが、弾性材２３がハンマ２に打撃されると、質量玉２１が弾性材２３と一体となったまま、袋状部材２２が撓むことによって上方に変位できる。
【００５７】
また、同図（ｂ）に示すように、弾性材２３に相当する弾性材２４を、袋状部材２２の内側面下部に接着等によって固定してもよい。あるいは、同図（ｃ）に示すように、弾性材２３に相当する弾性材２５を、質量玉２１の外周全面に貼着等で固定したものを、袋状部材２２の内部空間に被包保持させてもよい。
【００５８】
あるいは、同図（ｄ）に示すように、弾性材２３に相当する弾性材２６を、質量体ＭＡの袋状部材２２に設ける代わりに、ハンマ２の自由端部２ｄ上部に設けてもよい。
【００５９】
なお、弾性材を設ける態様については、図３に示す構成または図４（ａ）〜（ｄ）に示す構成のいずれかを組み合わせてもよい。また、質量体２１を、例えば金属粉を混合した弾性材料で構成してそれ自身に十分な比重と弾性を持たせれば、当接に介在する弾性材は設ける必要がない。
【００６０】
また、本実施の形態では、質量玉２１を、上方に変位可能且つ自重で初期位置に復帰するように配設するために、袋状部材２２に被包保持させる構成としたが、これに限るものではない。例えば、図５（ａ）に変形例を示すように、質量玉２１を、柔軟性があって伸縮性が小さい糸状部材２７で吊り下げるように構成してもよい。この場合は、例えば、図４（ｄ）の構成と同様に、弾性材２６をハンマ２の自由端部２ｄ上部に設ける。あるいは、弾性材を質量玉２１の少なくとも下部に設けてもよい。
【００６１】
また、本実施の形態では、質量玉２１を保持する部材は、柔軟性がある袋状部材２２であったが、これに限定されるものではない。例えば、図５（ｂ）に変形例を示すように、質量玉２１に相当する質量部材２９を、回動軸Ｐ３を中心に回動自在にされた、撓みにくい棒状部材３０の先端に固定した構成でもよい。この場合は、質量部材２９の自重で初期位置が規制されるようにするために、ストッパ３１のような規制部材をシャーシ４に対して固定的に設ける。また、上昇した質量部材２９が当接して速やかに跳ね返るための壁部３２を、シャーシ４に対して固定的に設けるのが好ましい。
【００６２】
なお、本実施の形態では、質量体ＭＡは、各鍵１毎（ハンマ２毎）に設けられたが、これに限るものではなく、図６に変形例を示すように、複数鍵に１つの質量体ＭＡを対応させて設けてもよい。その場合は、例えば、袋状部材２２に代えて、下方で折り返した形の被包部材３２を設ける。被包部材３２は、複数鍵に亘る長さを有する。そして、質量玉２１に代えて、被包部材３２の折り返した内側に、鍵並び方向に沿って質量部材３３を内装して被包部材３２に固定する。ここで、質量部材３３は、例えば、金属製の鎖状ワイヤで構成され、当接力を受けた部分が主に上方に変位するように構成される。なお、質量部材３３に代えて、砂や金属粉を被包部材３２で包んで、その左右端部を塞ぐ構成としてもよい。
【００６３】
なお、構成を簡単にする観点からは、質量部材３３を単純な金属等の棒体で構成してもよい。このようにした場合において、和音演奏等により同じ質量部材３３に対応する鍵１が同時に押鍵されることがあり得る。しかし、奏者の感覚としては、元々、単鍵の押鍵と和音押鍵とは全く別のタッチ感として把握する傾向があるため、同時押鍵されたとしても、それなりに和音押鍵時のタッチ感として認識され、違和感は少なくて済む。
【００６４】
（第２の実施の形態）
図７（ａ）〜（ｄ）は、本発明の第２の実施の形態に係る鍵盤装置における、質量体及び上側ストッパの拡大図である。本実施の形態では、第１の実施の形態に比し、質量体ＭＡの構成及びその配設態様が異なり、その他の構成は同様である。図７（ａ）〜（ｄ）に示す状態は、図３（ａ）〜（ｄ）に示す状態に対応している。
【００６５】
本第２の実施の形態では、袋状部材２２及び質量玉２１の基本構成は第１の実施の形態のものと同じである。すなわち、図７（ａ）〜（ｄ）に示すように、シャーシ４の後部４ｄの上部に支持部３４が設けられる。本実施の形態における質量体ＭＡは、袋状部材２２の上部２２ａがネジ１８で支持部３４に固定されて構成される。袋状部材２２の内側に質量玉２１が内装される。これにより、質量玉２１を被包保持する袋状部材２２が吊り下げ状態で支持部３４に保持される。
【００６６】
また、袋状部材２２の、初期位置において質量玉２１を保持している部分の外側面（下面）であって且つ前寄りの面に、弾性材２３に相当する弾性材３５がやや突出して固定されている。初期位置においては、質量玉２１の自重により、弾性材３５の先端が上側ストッパ１０の後ろ側の側部１０ｂに常に当接しており（図７（ａ）参照）、この状態で質量体ＭＡが安定して静止している。質量体ＭＡの上方には、変位した質量玉２１と当接して質量玉２１を跳ね返すための壁部３６が、シャーシ４に固定的に設けられる。
【００６７】
本実施の形態において、強押鍵の場合は、ハンマ２の自由端部２ｄが、上側ストッパ１０の下面１０ａに当接した時点（図７（ａ）参照）では、自由端部２ｄが質量体ＭＡの弾性材３５に当接しないように、質量体ＭＡの初期位置が設定されている。
【００６８】
ハンマ２がさらに往方向に回動すると、図７（ｂ）に示すように、上側ストッパ１０が縮むと共に、自由端部２ｄが弾性材３５に当接する。従って、強押鍵では、常に、往方向に回動するハンマ２が先に上側ストッパ１０に当接した後に質量体ＭＡ（の弾性材３５）に当接する。
【００６９】
次に、自由端部２ｄが弾性材３５に当接すると、質量玉２１が間接的に打撃されるので、図７（ｃ）に示すように、質量玉２１が斜め後方上方に移動すると共に、袋状部材２２が変形しながら斜め後方上方に変位する。ハンマ２の自由端部２ｄが質量部ＭＡに当接したことによる運動エネルギの変化は第１の実施の形態と同様である。
【００７０】
そして、上側ストッパ１０を最も縮ませる「最大回動位置」にハンマ２が到達した後は（図７（ｃ）参照）、ハンマ２が復方向に回動し、離鍵前、すなわち、押鍵状態が継続している間、図７（ｄ）に示すように、ハンマ２が最大回動位置より少し復方向に戻った位置で静止する。
【００７１】
一方、質量玉２１は、当接の強さに応じた分だけ上昇し、自重によって下降するが、押鍵強さによっては、壁部３６に当接して跳ね返って下降する。ここで、第１の実施の形態と同様に、強押鍵後の押鍵状態継続中においては、自由端部２ｄに質量体ＭＡの弾性材３５が当接しないように、質量体ＭＡの初期位置が設定されている。また、質量玉２１の軌道は、図７の時計方向に往復回動するような軌道となるため、下降する際には、弾性材３５が上側ストッパ１０の後ろ側の側部１０ｂに当接する。これにより、押鍵状態継続中における質量玉２１の戻りによる不快な感触が排除される。
【００７２】
一方、弱押鍵の場合は、第１の実施の形態と同様に、ハンマ２は、回動往行程において、図７（ｄ）に示す位置の手前で回動終了となる。従って、ハンマ２の自由端部２ｄは質量体ＭＡの弾性材３５に当接することがなく、専ら上側ストッパ１０との当接によって回動終了位置が規制されることになる。
【００７３】
本実施の形態によれば、第１の実施の形態と同様の効果を奏することができる。それだけでなく、質量体ＭＡの自重で弾性材３５が上側ストッパ１０の側部１０ｂに当接することによって、質量体ＭＡの初期位置が規制されるので、初期位置に安定して静止するようになり、いつ押鍵しても同じストップ感を確保でき、ストップ感を均一化することができる。
【００７４】
なお、本実施の形態において、上側ストッパ１０が、復帰する質量体ＭＡと当接して初期位置を規制できるようにするためには、打撃された質量体ＭＡが水平方向の成分及び上方成分を含む方向に変位するように構成すればよい。従って、図５（ａ）、（ｂ）の例と同様に、袋状部材２２に代えて糸状部材２７や棒状部材３０を採用してもよい。なお、ここでいう水平方向は、後方に限定されない。
【００７５】
また、質量体ＭＡのいずれかの部分が上側ストッパ１０に当接すればよいので、弾性材３５の形状も問わない。さらに、押鍵によるハンマ２との当接の緩衝のためには、図４（ａ）〜（ｄ）のいずれかの構成を採用してもよい。また、質量体ＭＡにおいて、上側ストッパ１０に当接する部分とハンマ２の自由端部２ｄと当接する部分とは、別々に設けてもよい。
【００７６】
（第３の実施の形態）
図８（ａ）は、本発明の第３の実施の形態に係る鍵盤装置における、質量体及び上側ストッパの拡大図である。図８（ｂ）は、本実施の形態における質量玉の部分拡大断面図である。本実施の形態では、第１の実施の形態に比し、質量体ＭＡの構成及びその配設態様が異なり、その他の構成は同様である。
【００７７】
図８（ａ）に示すように、本第３の実施の形態における質量体ＭＡは、第１の実施の形態における袋状部材２２及び質量玉２１に代えて、袋状部材１２２及び質量玉１２１を有する。袋状部材１２２の素材や厚みは袋状部材２２と同様である。シャーシ４の後部４ｄには、各ハンマ２に対応する穴４ｄａが形成されている。袋状部材１２２の縁部１２２ａが、穴４ｄａの周囲における後部４ｄの上面に接着等によって固定され、袋状部材１２２は、穴４ｄａを通じて上方が開口している。
【００７８】
袋状部材１２２の上側に質量玉１２１が配設されており、図８（ａ）に示すように、質量玉１２１の自重により、袋状部材１２２は質量玉１２１を受けて下方に撓み、凹部を形成する。このように、下方に撓んだ袋状部材１２２に質量玉１２１が収まった状態が、質量体ＭＡの初期位置となる。従って、袋状部材１２２が、質量玉１２１の受け機構を構成する。後部カバー１９には、下方に凹の逃げ部１９ｂが、各穴４ｄａに対応且つ対向して形成されている。質量玉１２１は、袋状部材１２２に対して自由に変位し得るが、逃げ部１９ｂによって移動範囲が規制される。逃げ部１９ｂは、シャーシ４に対して固定的であればよく、シャーシ４に形成してもよい。
【００７９】
質量玉１２１は、図８（ｂ）に示すように、多数の微粒子１２１ａを薄膜状素材１２１ｂで包囲して構成される。微粒子１２１ａは、例えば、砂、金属粉または石の粒等でなる。薄膜状素材１２１ｂは、第１の実施の形態における袋状部材２２と同様の材料で構成される。質量玉１２１は、自由状態ではほぼ球体であるが、ハンマ２からの当接力を受けると変形する。すなわち、当接による運動エネルギが、ある微粒子１２１ａから他の微粒子１２１ａへと次々に伝達され、しかも微粒子１２１ａ同士の連鎖的な衝突や摺動で運動エネルギがあらゆる方向に分散し、熱エネルギにも変換される。そのため、運動エネルギが効果的に消失する。ここで、１つの微粒子１２１ａは、直径３ｍｍ以下の球体が好ましいが、これに限るものでなく、球体でなくてもよい。
【００８０】
図９（ａ）〜（ｄ）は、本実施の形態に係る鍵盤装置における動作を示す、質量体及び上側ストッパの拡大図である。図９（ａ）〜（ｄ）に示す状態は、図３（ａ）〜（ｄ）に示す状態に対応している。
【００８１】
本実施の形態において、強押鍵の場合は、ハンマ２の自由端部２ｄが、上側ストッパ１０の下面１０ａに当接した時点（図９（ａ）参照）では、自由端部２ｄが質量体ＭＡの袋状部材１２２に当接しないように、質量体ＭＡの初期位置が設定されている。
【００８２】
ハンマ２がさらに往方向に回動すると、図９（ｂ）に示すように、上側ストッパ１０が縮むと共に、自由端部２ｄが袋状部材１２２の下面に当接する。従って、強押鍵では、常に、往方向に回動するハンマ２が先に上側ストッパ１０に当接した後に質量体ＭＡ（の袋状部材１２２）に当接する。
【００８３】
次に、自由端部２ｄが袋状部材１２２に当接すると、質量玉１２１が間接的に打撃されるので、図９（ｃ）に示すように、質量玉１２１が上方に移動すると共に、袋状部材１２２が変形しながら上方に変位する。その際、上述したように、質量玉１２１において、微粒子１２１ａ同士の連鎖的な衝突や摺動で運動エネルギが分散消失する。また、ハンマ２の自由端部２ｄが質量部ＭＡに当接して、ハンマ２の運動エネルギが質量玉１２１の運動エネルギ及び位置エネルギに変換される点は、第１の実施の形態と同様である。
【００８４】
そして、上側ストッパ１０を最も縮ませる「最大回動位置」にハンマ２が到達した後は（図９（ｃ）参照）、ハンマ２が復方向に回動し、離鍵前、すなわち、押鍵状態が継続している間、図９（ｄ）に示すように、ハンマ２が最大回動位置より少し復方向に戻った位置で静止する。
【００８５】
一方、質量玉１２１は、当接の強さに応じた分だけ上昇し、自重によって下降するが、押鍵強さによっては、逃げ部１９ｂ内で跳ね返って下降する。ここで、第１の実施の形態と同様に、強押鍵後の押鍵状態継続中においては、自由端部２ｄに質量体ＭＡの袋状部材１２２が当接しないように、質量体ＭＡの初期位置が設定されている。これにより、押鍵状態継続中における質量玉１２１の戻りによる不快な感触が排除される。
【００８６】
一方、弱押鍵の場合は、第１の実施の形態と同様に、ハンマ２は、回動往行程において、図９（ｄ）に示す位置の手前で回動終了となる。従って、ハンマ２の自由端部２ｄは質量体ＭＡの袋状部材１２２に当接することがなく、専ら上側ストッパ１０との当接によって回動終了位置が規制されることになる。
【００８７】
本実施の形態によれば、第１の実施の形態と同様の効果を奏することができる。それだけでなく、質量玉１２１が、多数の微粒子１２１ａを薄膜状素材１２１ｂで包囲してなるので、ハンマ２と質量玉１２１との間に、緩衝用の弾性材等を介在させなくても、十分な緩衝機能を確保することができ、当接時の指への衝撃を抑制することができる。また、仮に、押鍵状態継続中に質量玉１２１が戻ってハンマ２に当接するような初期位置設定であったとしても、質量玉１２１自体が緩衝機能を有するので、質量玉１２１の戻り当接による不快な感触を抑制することができる。
【００８８】
なお、本実施の形態において、質量玉１２１は袋状部材１２２の内側面に接着等で固定してもよい。
【００８９】
なお、本実施の形態において、ハンマ２と質量玉１２１との間に、緩衝用の弾性材（第１の実施の形態における弾性材２３〜２６に相当するもの）を設けてもよい。
【００９０】
なお、本実施の形態における質量玉１２１、すなわち、多数の微粒子１２１ａを薄膜状素材１２１ｂで包囲する構成は、第１、第２の実施の形態においても採用してもよく、その場合は、弾性材２３〜２６等を廃止することも可能である。これとは逆に、本実施の形態において、質量玉１２１を質量玉２１と同様に金属等で球状に構成すると共に、弾性材２３〜２６に相当する緩衝機能を設けてもよい。
【００９１】
なお、上記各実施の形態においては、上側ストッパ１０及び質量部ＭＡに当接する回動部材として、鍵１によって回動するハンマ２を例示したが、これに限るものではない。例えば、適当な質量配分がなされた鍵自体が上記回動部材として上側ストッパ１０及び質量部ＭＡに直接当接するように構成した場合にも、本発明を適用可能である。また、他の部材を介在させて鍵１によりハンマ２が回動する場合にも適用される。
【図面の簡単な説明】
【００９２】
【図１】本発明の第１の実施の形態に係る鍵盤装置（非押鍵状態）の断面図である。
【図２】本実施の形態に係る鍵盤装置（押鍵終了間際の状態）の断面図である。
【図３】質量体及び上側ストッパの拡大図である。
【図４】弾性材を設ける位置乃至設ける態様を変更した例を示す図である。
【図５】質量体の変形例を示す図である。
【図６】質量体の変形例を示す図である。
【図７】本発明の第２の実施の形態に係る鍵盤装置における、質量体及び上側ストッパの拡大図である。
【図８】本発明の第３の実施の形態に係る鍵盤装置における、質量体及び上側ストッパの拡大図（図（ａ））、質量玉の部分拡大断面図（図（ｂ））である。
【図９】本実施の形態に係る鍵盤装置における動作を示す、質量体及び上側ストッパの拡大図である。
【符号の説明】
【００９３】
１  鍵、  ２  ハンマ（回動部材）、  ２ｄ  自由端部（先端部、当接部）、  １０  上側ストッパ（弾性ストッパ部）、  １０ｂ  側部、  ２１、１２１  質量玉（質量部材）、  ２２、１２２  袋状部材（薄皮状部材）、  ２９  質量部材、  １２１ａ  微粒子（粒状材）、  １２１ｂ  薄膜状素材、  ＭＡ  質量体
【図１】
2008116759.tif 000003
【図２】
2008116759.tif 000004
【図３】
2008116759.tif 000005
【図４】
2008116759.tif 000006
【図５】
2008116759.tif 000007
【図６】
2008116759.tif 000008
【図７】
2008116759.tif 000009
【図８】
2008116759.tif 000010
【図９】
2008116759.tif 000011